【手続補正書】
【提出日】平成19年10月11日(2007.10.11)
【手続補正１】
【補正対象書類名】明細書
【補正対象項目名】特許請求の範囲
【補正方法】変更
【補正の内容】
【特許請求の範囲】
【請求項１】  撮影レンズの窓部を覆う閉位置と、撮影レンズの窓部から退避する開位置と、の間を移動するレンズバリアを備えた撮像装置において、
上面に前記レンズバリアが設けられ、固定軸に回転可能かつ前記固定軸の軸方向に沿って所定の長さをスライド可能に軸支されたアームと、
前記アームに回転力を伝達するアーム用駆動手段と、
前記閉位置及び前記開位置で前記アームの移動を規制するストッパーと、
前記アームを前記窓部が形成された表筐体から離間する方向へ付勢する付勢手段と、
前記撮影レンズが保持されたレンズ鏡胴を前記窓部から突出させ、或いは、窓部奥方へ収まる方向へ移動可能とし、前記レンズ鏡胴が前記アームを前記窓部側へ押上げ、アームを介して前記レンズバリアを窓部内へ移動させる撮影レンズ用駆動手段と、
を有することを特徴とする撮像装置。
【請求項２】  レンズバリアが開位置にあることを検知してレンズバリア全開信号を出力する全開検出手段と、
レンズバリアが閉位置にあることを検知してレンズバリア全閉信号を出力する全閉検出手段と、
前記レンズ鏡胴が前記窓部奥方に収まる沈胴位置にあることを検知して沈胴位置信号を出力する沈胴検知手段と、
前記窓部前面と前記レンズバリアとが面一となったことを検知してレンズバリアフラット信号を出力するフラット検出手段と、
撮像電源をオンさせると前記撮影レンズ用駆動手段を駆動させ、前記レンズ鏡胴を前記窓部奥方へ移動させて、前記沈胴検出手段から前記沈胴位置信号が入力されると、撮影レンズ用駆動手段を駆動停止させ、その後前記アーム用駆動手段を駆動させて、前記レンズバリアを開位置へ移動させ、前記全開検出手段から前記レンズバリア全開信号が入力されるとアーム用駆動手段を駆動停止させると共に、
撮像電源をオフさせると前記撮影レンズ用駆動手段を駆動させ、前記レンズ鏡胴を窓部奥方へ移動させて、前記沈胴検出手段から前記沈胴位置信号が入力されると、撮影レンズ用駆動手段を駆動停止させ、その後前記アーム用駆動手段を駆動させて、前記レンズバリアを閉位置へ移動させ、前記全閉検出手段から前記レンズバリア全閉信号が入力されるとアーム用駆動手段を駆動停止させて、次に、前記撮影レンズ用駆動手段を駆動させ、前記レンズ鏡胴を窓部側へ移動させて、前記フラット検出手段から前記レンズバリアフラット信号が入力されると撮影レンズ用駆動手段を駆動停止させる制御手段と、
を有することを特徴とする請求項１に記載の撮像装置。
【請求項３】 沈胴式の撮影レンズと、前記撮影レンズが進退する窓部と、を備え、沈胴位置にある撮影レンズを保護する閉位置と、撮影レンズの移動軌跡上の位置から退避させた開位置と、の間を移動可能なレンズバリアを備えた撮像装置において、
前記撮影レンズを保持し該撮影レンズを進退させるレンズ鏡胴を設け、
前記レンズバリアが、前記窓部から退く方向へ付勢手段によって常時押圧されると共に、前記閉位置へ移動させられると、前記付勢手段の付勢力に抗して前記レンズ鏡胴により、該レンズバリアの前面が窓部前面と面一となるようにレンズバリアが窓部側へ押し上げられることを特徴とする撮像装置。
【手続補正２】
【補正対象書類名】明細書
【補正対象項目名】０００７
【補正方法】変更
【補正の内容】
【０００７】
【課題を解決するための手段】
上記目的を達成するため、請求項１に記載の発明は、撮影レンズの窓部を覆う閉位置と、撮影レンズの窓部から退避する開位置と、の間を移動するレンズバリアを備えた撮像装置において、上面に前記レンズバリアが設けられ、固定軸に回転可能かつ前記固定軸の軸方向に沿って所定の長さをスライド可能に軸支されたアームと、前記アームに回転力を伝達するアーム用駆動手段と、前記閉位置及び前記開位置で前記アームの移動を規制するストッパーと、前記アームを前記窓部が形成された表筐体から離間する方向へ付勢する付勢手段と、前記撮影レンズが保持されたレンズ鏡胴を前記窓部から突出させ、或いは、窓部奥方へ収まる方向へ移動可能とし、前記レンズ鏡胴が前記アームを前記窓部側へ押上げ、アームを介して前記レンズバリアを窓部内へ移動させる撮影レンズ用駆動手段と、を有することを特徴とする。
請求項１に記載の発明では、レンズバリアが撮影レンズの窓部を覆う閉位置と、撮影レンズの窓部から退避する開位置と、の間を移動する。このレンズバリアはアームの上面に設けられており、アームは固定軸に回転可能かつ、固定軸の軸方向に沿って所定の長さをスライド可能に軸支されている。
【手続補正３】
【補正対象書類名】明細書
【補正対象項目名】００１２
【補正方法】変更
【補正の内容】
【００１２】
請求項２に記載の発明は、請求項１に記載の撮像装置において、レンズバリアが開位置にあることを検知してレンズバリア全開信号を出力する全開検出手段と、レンズバリアが閉位置にあることを検知してレンズバリア全閉信号を出力する全閉検出手段と、前記レンズ鏡胴が前記窓部奥方に収まる沈胴位置にあることを検知して沈胴位置信号を出力する沈胴検知手段と、前記窓部前面と前記レンズバリアとが面一となったことを検知してレンズバリアフラット信号を出力するフラット検出手段と、撮像電源をオンさせると前記撮影レンズ用駆動手段を駆動させ、前記レンズ鏡胴を前記窓部奥方へ移動させて、前記沈胴検出手段から前記沈胴位置信号が入力されると、撮影レンズ用駆動手段を駆動停止させ、その後前記アーム用駆動手段を駆動させて、前記レンズバリアを開位置へ移動させ、前記全開検出手段から前記レンズバリア全開信号が入力されるとアーム用駆動手段を駆動停止させると共に、撮像電源をオフさせると前記撮影レンズ用駆動手段を駆動させ、前記レンズ鏡胴を窓部奥方へ移動させて、前記沈胴検出手段から前記沈胴位置信号が入力されると、撮影レンズ用駆動手段を駆動停止させ、その後前記アーム用駆動手段を駆動させて、前記レンズバリアを閉位置へ移動させ、前記全閉検出手段から前記レンズバリア全閉信号が入力されるとアーム用駆動手段を駆動停止させて、次に、前記撮影レンズ用駆動手段を駆動させ、前記レンズ鏡胴を窓部側へ移動させて、前記フラット検出手段から前記レンズバリアフラット信号が入力されると撮影レンズ用駆動手段を駆動停止させる制御手段と、を有することを特徴とする。
請求項２に記載の発明では、撮像電源がオンされると、撮影レンズ用駆動手段を駆動させ、レンズ鏡胴を窓部奥方へ移動させる。沈胴検出手段によって、レンズ鏡胴が窓部の奥方に収まる沈胴位置にあることが検知されると、沈胴位置信号が出力される。
【手続補正４】
【補正対象書類名】明細書
【補正対象項目名】００１６
【補正方法】変更
【補正の内容】
【００１６】
そして、撮影レンズ用駆動手段を駆動させ、レンズ鏡胴を窓部側へ移動させて、アームを押上げてレンズバリアを窓部へ移動させる。フラット検出手段によって、窓部前面とレンズバリアとが面一となったことが検知されると、レンズバリアフラット信号が出力され、このレンズバリアフラット信号が制御手段へ入力されると、撮影レンズ用駆動手段を駆動停止させる。
このように、各種の検出手段を備えることによって、レンズバリアが開位置に移動するときに、撮影レンズのレンズ面を摺動したり、レンズバリアが閉位置であるにも拘らず、撮影レンズが突出することがないようにしている。
【手続補正５】
【補正対象書類名】明細書
【補正対象項目名】００１７
【補正方法】変更
【補正の内容】
【００１７】
請求項３に記載の発明は、沈胴式の撮影レンズと、前記撮影レンズが進退する窓部と、を備え、沈胴位置にある撮影レンズを保護する閉位置と、撮影レンズの移動軌跡上の位置から退避させた開位置と、の間を移動可能なレンズバリアを備えた撮像装置において、前記撮影レンズを保持し該撮影レンズを進退させるレンズ鏡胴を設け、前記レンズバリアが、前記窓部から退く方向へ付勢手段によって常時押圧されると共に、前記閉位置へ移動させられると、前記付勢手段の付勢力に抗して前記レンズ鏡胴により、該レンズバリアの前面が窓部前面と面一となるようにレンズバリアが窓部側へ押し上げられることを特徴とする。
請求項３に記載の発明では、レンズ鏡胴によって、デジタルカメラの内部に位置するレンズバリアをデジタルカメラの窓部前面まで押上げて面一にすることができる。このため、レンズバリアの周縁にゴミ又はホコリが溜まらない。従って、レンズバリアの周縁に溜まったゴミ又はホコリがデジタルカメラの内部に入り、故障の原因となることはない。また、レンズバリアと窓部前面とが面一であるため、デジタルカメラの筐体に印刷するデザインの幅が広がる。
【手続補正６】
【補正対象書類名】明細書
【補正対象項目名】０１２６
【補正方法】変更
【補正の内容】
【０１２６】
請求項２に記載の発明では、駆動手段を時間で制御し、各種の検出手段によってレンズバリアを位置を検知することで、レンズバリアが開位置に移動するときに、撮影レンズのレンズ面を摺動したり、レンズバリアが閉位置であるにも拘らず、撮影レンズが突出することがないようにしている。
請求項３に記載の発明では、デジタルカメラの内部に位置するレンズバリアをデジタルカメラの窓部前面まで押上げて面一にすることができるため、レンズバリアの周縁にゴミ又はホコリが溜まらない。従って、レンズバリアの周縁に溜まったゴミ又はホコリがデジタルカメラの内部に入り、故障の原因となることはない。また、レンズバリアと窓部前面とが面一であるため、デジタルカメラの筐体に印刷するデザインの幅が広がる。